(57)【要約】【課題】除霜ヒータによる熱気が貯蔵室内に侵入することを抑制しつつ、冷却運転時に開口部が風路抵抗とならず、貯蔵室から冷却器室への戻り風量の減少を抑制する冷凍冷蔵庫を得る。【解決手段】除霜ヒータ３５５から発せられた熱気を溜める熱気溜め室３６５を設け、冷却器室戻り風路３６４に、熱気溜め室３６５と連通する開口部３６８が形成されている。【選択図】図２
2013160412.tif 000002
【特許請求の範囲】
【請求項１】
断熱箱体に、貯蔵室と、冷却器室とを設け、
前記冷却器室の内部に、ファン、冷却器及び該冷却器に付着した霜を取り除くヒータを設け、
前記貯蔵室を循環した空気を前記冷却器室内に導く戻り風路が前記冷却器室内に形成され、前記冷却器室で冷却された空気を前記貯蔵室内に導く吹出風路が形成された冷凍冷蔵庫において、
前記ヒータから発せられた熱気を溜める熱気溜め室を設け、
前記戻り風路に、前記熱気溜め室と連通する開口部が形成された
ことを特徴とする冷凍冷蔵庫。
【請求項２】
前記熱気溜め室は、前記熱気溜め室と前記冷却器室とを仕切る仕切り壁を介して、前記冷却器の前面と対向する位置に設けられ、
前記仕切り壁を良導体で構成した
ことを特徴とする請求項１に記載の冷凍冷蔵庫。
【請求項３】
前記吹出風路に前記熱気溜め室を設け、
前記熱気溜め室の壁面のうち、前記吹出風路を流れる空気と接する壁面は、断熱材で構成されている
ことを特徴とする請求項１又は２に記載の冷凍冷蔵庫。
【請求項４】
前記開口部は、
前記戻り風路を流れる空気が、その空気の流れ方向を９０度以上転換して前記開口部を通じて前記熱気溜め室に流入するように形成されている
ことを特徴とする請求項１〜３のいずれかに記載の冷凍冷蔵庫。
【発明の詳細な説明】
【技術分野】
【０００１】
本発明は、冷凍冷蔵庫に関するものである。
【背景技術】
【０００２】
従来の冷蔵庫として、例えば、貯蔵室を循環して冷却器室に流入してきた空気が冷却器にて熱交換されて冷却された後に冷却された空気が貯蔵室へ送り出され、貯蔵室へ送り出された空気が貯蔵室内を循環して貯蔵室内を冷却するものがある。ここで、貯蔵室を循環した空気は湿気を多く含んでいるため、その湿気を含んだ空気が冷却器室に流入して冷却器で熱交換されると、次第に冷却器に霜が付着する。冷却器に霜が付着すると、フィン間が霜で詰まって冷凍能力が低下するため、定期的に冷却器周辺（主に冷却器下部）に備えられた除霜ヒータに通電し、冷却器を温めることで除霜している。
【０００３】
冷却器に付着した霜が除霜ヒータにより除去されることで、除霜ヒータによる熱気が貯蔵室と冷却器室とを繋ぐ風路を通って貯蔵室へ侵入するため、除霜ヒータによる熱気が庫内温度を上昇させてしまう。そのため、従来の冷蔵庫は、冷却器室から貯蔵室への吹出口風路、貯蔵室から冷却器室への戻り口風路に、除霜ヒータによる熱気を貯蔵室へ侵入させないようにするための手段（特許文献１におけるトラップ、特許文献２における風路仕切壁）を設けることで、庫内への熱気侵入を抑制していた（特許文献１、２参照）。
【先行技術文献】
【特許文献】
【０００４】
【特許文献１】特開２００５−１７２３０３号公報（［００５４］、［００５７］、［００６４］、［００６５］、図６、図７）
【特許文献２】特開２００７−９３１０８号公報（［００２５］、［００２６］、［００３５］、［００３６］、図１）
【発明の概要】
【発明が解決しようとする課題】
【０００５】
特許文献１及び特許文献２に記載の冷蔵庫は、除霜運転時に除霜ヒータによる熱気を貯蔵室へ侵入させないようにするための手段（特許文献１におけるトラップ、特許文献２における風路仕切壁）が風路に突出している。このような手段は、冷却運転時の風路抵抗となるため、貯蔵室から冷却器室への戻り風量を減少させてしまう。そのため、除霜運転後の冷却運転時に貯蔵室を冷却するために多大な時間を要するという課題があった。
【０００６】
本発明は、上述のような課題を解決するためになされたものであり、除霜ヒータによる熱気が貯蔵室内に侵入することを抑制しつつ、貯蔵室から冷却器室への戻り風量の減少を抑制できる冷凍冷蔵庫を得ることを目的とする。
【課題を解決するための手段】
【０００７】
本発明の冷凍冷蔵庫は、断熱箱体に、貯蔵室と、冷却器室とを設け、前記冷却器室の内部に、ファン、冷却器及び該冷却器に付着した霜を取り除くヒータを設け、前記貯蔵室を循環した空気を前記冷却器室内に導く戻り風路が前記冷却器室内に形成され、前記冷却器室で冷却された空気を前記貯蔵室内に導く吹出風路が形成された冷凍冷蔵庫において、前記ヒータから発せられた熱気を溜める熱気溜め室を設け、前記戻り風路に、前記熱気溜め室と連通する開口部が形成されたものである。
【発明の効果】
【０００８】
本発明の冷凍冷蔵庫は、除霜ヒータの熱を溜め込む熱気溜め室を設ける構成とし、冷却器室戻り風路に開口部を形成する構成とした。これにより、除霜ヒータによる熱気が貯蔵室内に侵入することを抑制しつつ、冷却運転時に開口部が戻り風路に突出しないので、風路抵抗とならず、貯蔵室から冷却器室への戻り風量の減少を抑制することができる。
【図面の簡単な説明】
【０００９】
【図１】本発明の実施の形態に係る冷凍冷蔵庫全体を示す右側面断面図である。
【図２】本発明の実施の形態に係る冷凍冷蔵庫の冷却運転時の冷却器周辺を拡大した右側面断面図である。
【図３】図２の冷却器室周辺をｘ−ｘ’線方向から見た部分断面図である。
【図４】図２の冷却器室周辺をｙ−ｙ’線方向から見た部分断面図である。
【図５】本発明の実施の形態に係る冷凍冷蔵庫の除霜運転時の冷却器周辺を拡大した右側面断面図である。
【図６】図５の冷却器室周辺をｚ−ｚ’線方向からみた部分断面図である。
【図７】熱気溜め室と冷却器室から冷凍室への吹出し風路とを仕切る断熱材壁の図である。
【発明を実施するための形態】
【００１０】
実施の形態．
以下、本実施の形態について、図１〜図７を用いて説明する。
図１は、本発明の実施の形態に係る冷凍冷蔵庫１０００全体を示す右側面断面図である。図２は、本発明の実施の形態に係る冷凍冷蔵庫１０００の冷却運転時の冷却器周辺を拡大した右側面断面図である。図３は、図２の冷却器室３５０周辺をｘ−ｘ’線方向から見た部分断面図である。図４は、図２の冷却器室３５０周辺をｙ−ｙ’線方向から見た部分断面図である。図５は、本発明の実施の形態に係る冷凍冷蔵庫１０００の除霜運転時の冷却器室３５０周辺を拡大した右側面断面図である。図６は、図５の冷却器室３５０周辺をｚ−ｚ’線方向からみた部分断面図である。図７は、熱気溜め室と冷却器室から冷凍室への吹出し風路とを仕切る断熱材壁の図である。図７（ａ）は、断熱材壁３５３の正面図である。図７（ｂ）は、断熱材壁３５３の背面図である。図７（ｃ）は、断熱材壁３５３を右上正面から見た斜視図である。図７（ｄ）は、断熱材壁３５３を右上背面から見た斜視図である。なお、便宜上、図７（ｃ）、図７（ｄ）に示される断熱材壁３５３を、図７（ａ）、図７（ｂ）に示される断熱材壁３５３よりも縮小して表している。
【００１１】
図１に示されるように、冷凍冷蔵庫１０００には、断熱箱体１０が設けられている。断熱箱体１０には、機械室２０、複数の貯蔵室（冷蔵室１００、野菜室２００、冷凍室３００）が設けられている。詳細に説明すると、冷凍冷蔵庫１０００には、上から冷蔵室１００、野菜室２００、冷凍室３００が設けられている。機械室２０には、圧縮機２０ａ等が設けられている。冷凍室３００の背面には、冷却器３５４等を備えた冷却器室３５０が設けられている。
【００１２】
圧縮機２０ａは、断熱箱体１０の下方背面側に設けられている。圧縮機２０ａと冷却器室３５０とは冷凍サイクルを構成しており、図示しない冷媒管によって接続されている。冷却器室３５０内で冷媒が蒸発することによって冷気を生成し、この冷気がファン３５２により庫内を循環することで庫内が冷却される。
【００１３】
冷却器室３５０には、ファン３５２、冷却器３５４、除霜ヒータ３５５が設けられている。ファン３５２は、冷却器３５４にて熱交換された空気を冷蔵室１００、野菜室２００、冷凍室３００へ循環させるものである。冷却器３５４は、ファン３５２の下方に設けられ、庫内循環空気を冷却させるものである。除霜ヒータ３５５は、冷却器３５４の下方に設けられ、冷却器室３５０に付着した霜を融解させるものである。また、冷却器室３５０には、冷却器室戻り風路３６４（本発明における戻り風路に相当する）が形成されている。
【００１４】
冷却器室戻り風路３６４は、冷蔵室１００、野菜室２００を循環した空気を冷却器室３５０に導くためのものである。ここで、冷却器室３５０から冷蔵室１００、野菜室２００に流出した空気が、冷却器室戻り風路３６４を通って冷却器室３５０に導かれる過程を用いて説明する。図１に示されるように、断熱箱体１０の背面部には、冷蔵室１００と野菜室２００とを連通する風路１５０、野菜室２００と冷却器室３５０とを連通する風路２５０が形成されている。ファン３５２の回転により、冷却器室３５０内の空気が風路２５０を通過し、一部の空気は野菜室２００の内部を循環し、冷却器室戻り風路３６４を通過して、冷却器室３５０に流入する。一方、野菜室２００の内部を循環しない空気は、風路１５０を通過し、冷蔵室１００の内部を循環し、図４に示される冷却器室戻り風路３６４を通過して、冷却器室３５０に流入する。図４に示されるように、冷却運転時には、冷却器室戻り風路３６４の空気流れ方向は、冷却器３５４の側方において矢印下向き方向である。また、開口部３６８は下向き方向に開口し、開口部３６８における空気流れ方向は矢印下向き方向である。このように、開口部３６８は、冷却器室戻り風路３６４を流れる空気がその空気の流れ方向を９０度以上転換して開口部３６８を通り、熱気溜め室３６５に流入するように形成されている。
【００１５】
図１、図２、図３に示されるように、冷凍室３００の背面側には、冷凍室３００の背面壁を構成するファングリル３５１が設けられている。ファングリル３５１には、第１の冷凍室吹出口３６１ａ、第２の冷凍室吹出口３６１ｂ、冷凍室吹出風路３６２（本発明における吹出風路に相当する）、第１の戻り風路口３６３ａ、第２の戻り風路口３６３ｂが形成されている。
【００１６】
冷凍室吹出風路３６２は、冷却器室３５０で冷却された空気を冷凍室３００に導くものである。冷凍室吹出風路３６２には、断熱材壁３５３が設けられている。断熱材壁３５３は、例えば発泡スチロール等の断熱部材で構成されている。図７（ｄ）に示されるように、断熱材壁３５３は略直方体形状であり、一つの面（背面）が開口し、他の面（底面）の一部が開口している（開口部３６８）。開口した背面（図７（ｄ）の斜線部で表した面）に、仕切り壁３５６が設けられている。仕切り壁３５６は、冷却器室３５０の前面と対向する位置に設けられている。仕切り壁３５６の前面部に断熱材壁３５３を保持することで、熱気溜め室３６５が構成される。ファングリル３５１の内部形状は断熱材壁３５３の形状分だけ抉れているため、ファングリル３５１に仕切り壁３５６を嵌め込むことで、断熱材壁３５３を保持することができる。熱気溜め室３６５は、除霜ヒータ３５５から発せられた熱気を溜めるものである。上述したように、断熱材壁３５３の底面には開口部３６８が形成されている。このため、断熱材壁３５３と仕切り壁３５６とを組み合わせて構成される熱気溜め室３６５の下部に、開口部３６８が形成されることになる。熱気溜め室３６５に溜められた熱気は、冷却器３５４へ付着した霜の融解に用いられる。
【００１７】
第１の冷凍室吹出口３６１ａ及び第２の冷凍室吹出口３６１ｂは、冷凍室３００と連通するように形成されている。第１の冷凍室吹出口３６１ａは、第２の冷凍室吹出口３６１ｂの上方に形成されている。第１の冷凍室吹出口３６１ａ、第２の冷凍室吹出口３６１ｂはいずれも、冷却器３５４により熱交換されて冷却された空気をファン３５２によって各冷凍室３００へ導くために形成されているものである。
【００１８】
第１の戻り風路口３６３ａは、冷蔵室１００、野菜室２００を循環した空気を冷却器室３５０へ導くためのものである。第２の戻り風路口３６３ｂは、冷凍室３００を循環した空気を冷却器室３５０に導くためのものである。
【００１９】
次に、本実施の形態に係る冷凍冷蔵庫１０００の冷却運転時の空気の流れを図２、図４を用いて説明する。
【００２０】
図２、図４に示されるように、冷蔵室１００、野菜室２００内を循環した空気が、冷却器室戻り風路３６４を通って、第１の戻り風路口３６３ａから冷却器室３５０へ流入し、冷凍室３００内を循環した空気が冷却器室戻り風路３６４を通って冷却器室３５０へ流入する。このようにして、冷蔵室１００、野菜室２００及び冷凍室３００から冷却器室３５０に流入した空気が冷却器３５４で熱交換され、ファン３５２によって各貯蔵室へ冷気が流れていく。なお、上述したように、開口部３６８は下向き方向に開口しているため、冷却器室戻り風路３６４を空気が流れるとき、開口部３６８は風路抵抗とならない。
【００２１】
次に、本実施の形態に係る冷凍冷蔵庫１０００の除霜運転時の空気の流れを図５、図６を用いて説明する。
【００２２】
図５、図６に示されるように、除霜運転の開始時には、冷却器３５４が既に冷えた状態で且つファン３５２は停止し、冷却器室３５０内に対流３６６（矢印下向き方向）が生じている。除霜運転を開始させると、除霜ヒータ３５５で熱気流れ３６７が発生する。熱気流れ３６７は、開口部３６８を通って熱気溜め室３６５に流入する。
【００２３】
ここで、従来は、除霜ヒータによる熱気の侵入を防ぐため、戻り口（貯蔵室と冷却器室とを連通させる開口部）の近傍、吹出口（冷凍室と冷却器室とを連通させる開口部）の近傍に断熱壁（トラップ）を設けていた。このトラップが、冷却運転時における、冷却器室から冷凍室への吹出し風量及び各貯蔵室から冷却器室への戻り風量を減少させる原因となっていた。
【００２４】
これに対して、本実施の形態に係る冷凍冷蔵庫１０００によれば、除霜ヒータ３５５の熱を溜め込む熱気溜め室３６５を設ける構成とし、冷却器室戻り風路３６４に開口部３６８を設ける構成とした。これにより、除霜ヒータ３５５による熱気流れ３６７が貯蔵室内に侵入することを抑制しつつ、冷却運転時に開口部３６８が風路抵抗とならず、貯蔵室から冷却器室３５０への戻り風量の減少を抑制することができる。
【００２５】
また、本実施の形態に係る冷凍冷蔵庫１０００によれば、熱気溜め室３６５内に熱気を保持する構成とした。そのため、貯蔵室内への熱気侵入を抑えることができる。
【００２６】
また、本実施の形態に係る冷凍冷蔵庫１０００によれば、熱気溜め室３６５が冷却器３５４の前面と対向する位置に配置される構成とした。そのため、熱気溜め室３６５に溜め込まれた熱気を冷却器３５４に付着した霜の除去に利用することができ、除霜時間の短縮も同時に実現することができる。
【００２７】
また、本実施の形態に係る冷凍冷蔵庫１０００によれば、開口部３６８は、冷却器室戻り風路３６４を流れる空気がその空気の流れ方向を９０度以上転換して開口部３６８を通り、熱気溜め室３６５に流入するように形成されている。そのため、冷却運転時に、開口部３６８が風路抵抗となることを抑制することができる。
【００２８】
なお、本実施の形態では、熱気溜め室３６５の下部に開口部３６８を形成する構成としたが、これに限定されない。除霜ヒータ３５５の熱を熱気溜め室３６５内に流入させることが出来るような構成であれば、種々の構成を採用することができる。
【００２９】
また、本実施の形態では、ファングリル３５１に冷凍室吹出風路３６２を設ける構成としたが、これに限定されない。冷却器室３５０で冷却された空気を冷凍室３００に導くことができる構成であれば、種々の構成を採用することができる。
【００３０】
また、本実施の形態では、ファングリル３５１に熱気溜め室３６５を設ける構成としたが、これに限定されない。除霜ヒータ３５５から発せられた熱気を溜めることが出来るような構成であれば、種々の構成を採用することができる。
【００３１】
また、本実施の形態では、冷凍室吹出風路３６２を、冷却器室３５０で冷却された空気を冷凍室３００に導く風路として構成したが、これに限定されない。例えば、冷却器室３５０で冷却された空気を、冷蔵室１００、野菜室２００に導く風路として構成してもよい。
【００３２】
また、本実施の形態では、冷却器室戻り風路３６４は、冷蔵室１００、野菜室２００内を循環した空気を冷却器室３５０に導く風路として構成したが、これに限定されない。例えば、冷凍室３００内を循環した空気を冷却器室３５０に導く風路として構成してもよい。
【００３３】
また、仕切り壁３５６は、断熱性の高いＰＰ等の樹脂ではなく、熱伝導性の高い金属、例えばＡｌやＣｕなどの良導体で構成してもよい。仕切り壁３５６を良導体で構成することで、熱気溜め室３６５の熱気をより効率的に除霜に利用でき、更なる除霜時間の短縮を図ることができる。
【符号の説明】
【００３４】
１０  断熱箱体、２０  機械室、２０ａ  圧縮機、１００  冷蔵室、１５０  風路、２００  野菜室、２５０  風路、３００  冷凍室、３５０  冷却器室、３５１  ファングリル、３５２  ファン、３５３  断熱材壁、３５４  冷却器、３５５  除霜ヒータ、３５６  仕切り壁、３６１ａ  第１の冷凍室吹出口、３６１ｂ  第２の冷凍室吹出口、３６２  冷凍室吹出風路、３６３ａ  第１の戻り風路口、３６３ｂ  第２の戻り風路口、３６４  冷却器室戻り風路、３６５  熱気溜め室、３６６  対流、３６７  熱気流れ、３６８  開口部、１０００  冷凍冷蔵庫。
【図１】
2013160412.tif 000003
【図２】
2013160412.tif 000004
【図３】
2013160412.tif 000005
【図４】
2013160412.tif 000006
【図５】
2013160412.tif 000007
【図６】
2013160412.tif 000008
【図７】
2013160412.tif 000009